(57)【特許請求の範囲】
【請求項１】
搬送装置（２）に沿って並んで配置されて、それぞれ少なくとも二つの給紙機（１９）を有して、プッシャコンベア（４）と一緒に形成された搬送装置（２）に印刷用紙（２２）を装入させる複数の交換可能な給紙機ユニット（３）から成り、台座（５）に載置可能な給紙機ユニット（３）の各々には、エネルギー供給や制御供給するように形成されたインターフェイス部分（６）が組み込まれていて、そして各台座（５）が各インターフェイス部分（６）用の一つのインターフェイス（１８）を有し、連結された印刷物を製造するために予備製品（８）として印刷用紙（２２）を収集させるか或いは集合させる装置（２０）において、この装置（２０）は一つの適合装置（７）を有し、そして台座（５）がインターフェイス部分（６）で台座に載置可能な適合装置（７）を固定させるように形成されていて、この適合装置が台座（５）に対して互換性のある下面を有し、上面には給紙機（１１、１２、１３、１４）を固定させるためにインターフェイス（１８）の構成と相違する給紙機インターフェイス（１０）を有することを特徴とする装置。    
【請求項２】
台座（５）に配置された搬送装置（２）の上部には複数の給紙機（１９）を有して、印刷用紙（２２）を搬送方向（Ｆ）とおよそ同じ方向に輸送する給紙機ユニット（３）を備えることを特徴とする請求項１に記載の装置。
【請求項３】
適合装置（７）がおよそインターフェイス部分（６）の長さを有することを特徴とする請求項１或いは２に記載の装置。
【請求項４】
適合装置（７）が印刷用紙（２２）を移送する搬送要素として給紙機（１１、１２、１３、１４）と搬送装置（２）の間に形成されていることを特徴とする請求項１乃至３のいずれか一項に記載の装置。
【請求項５】
適合装置（７）が下面と上面には異なったインターフェイスを有することを特徴とする請求項１乃至４のいずれか一項に記載の装置。
【請求項６】
台座（５）が給紙機ユニット（３）の長さと調和して複数部材に形成されていることを特徴とする請求項１乃至５のいずれか一項に記載の装置。
【請求項７】
台座（５）が接着製本機に前方接続された集合機の一部或いは収集綴じ装置に前方接続された収集コンベアの一部であることを特徴とする連結された印刷物を製造する為の請求項１乃至６のいずれか一項に基づく装置の使用方法。
【発明の詳細な説明】
【技術分野】
【０００１】
この発明は、搬送装置に沿って並んで配置されて、少なくとも二つの給紙機を有して交換可能な給紙機ユニットから成り、プッシャコンベアと一緒に形成された搬送装置に印刷用紙を装入させるものであり、台座に載置可能な給紙機ユニットの各々には、エネルギー供給や制御供給するように形成されたインターフェス部分が組み込まれていて、連結された印刷物を製造する為の予備製品として印刷用紙を収集させるか或いは集合させる装置に関する。
【背景技術】
【０００２】
前記種類の装置は、専門家には接着製本機用収集機として或いは集合ファイル用集合装置或いは集合コンベアとして知られている。そのような装置は多数の集合装置に沿って配置された給紙機を有し、その給紙機が搬送装置に印刷製品を装入する。そのような装置には装入の原理が同様であるにもかかわらず、構成と形成に関して或る相違点がある。これは、とにかく加工すべき載置高さや加工すべき印刷製品或いは印刷用紙或いは仕上げるべき印刷物の煩雑性に依存して、良好な経済性に基づく要請を示す。複数な印刷物は例えば多数の印刷用紙、貼付けられたカード及び／又は商品意匠、開放する側面に結合される用紙或いは頭部にて最終折りを備える用紙から成る。すべての標準印刷用紙或いは簡単に加工すべき印刷用紙と相違する複雑になった印刷用紙が加工のために形成された給紙機を必要とし、この給紙機の位置が搬送装置に沿って実施態様、所定形状或いは仕上げるべき印刷物の内容により決定される。台座は製造技術的、輸送技術的や組立て技術的理由から多数の互いに並んだ台座部材から成る。それは、公知の装置のこれら要素状構成や高い費用に基づく使用をより経済的に利用する要求である。標準印刷用紙を加工するために収集機械が知られていて、搬送方向に見て互いに並んだ等しい機械要素を有する。この際に、各機械要素が更に分割できないユニットを形成する。この構成では、統一的基礎施設が機械要素に設けられるので、例えば給紙機駆動部、分散部材或いは支持体に設けられる。
【０００３】
基本的に二つの異なった種類の構造の収集機械が知られていて；そのような構造が標準印刷用紙の加工用の僅かな生産速度を備えて柔軟性なしの簡単な収集機械として、ここではタイプＩであり、そしてそのような構造がタイプＩＩでより高い生産速度を備えて、選択的に異なった給紙機を装備されて、柔軟性に関するより高い度合を有する。顧客需要に基づいて、同時に高い生産出力がもたらされる必要がなく、市場では柔軟性を備える追加的収集機械が要求される。  
【先行技術文献】
【特許文献】
【０００４】
【特許文献１】ドイツ特許出願公開第３６１２５５９号明細書
【特許文献２】ドイツ特許第１０２００５０２０５９１号明細書
【特許文献３】日本特許第３８３０８６６号明細書
【発明の概要】
【発明が解決しようとする課題】
【０００５】
それ故に、この発明の課題は、一方では簡単な構成を有し、他方では標準印刷用紙と相違する印刷用紙を加工できる可能性を提供する印刷用紙を収集させるか、或いは集合させる装置を創作することである。
【課題を解決するための手段】
【０００６】
この発明によると、この課題は、台座に対して互換性のある下面を有し、インターフェス配列と相違する配列に基づいて給紙機を固定するように上面に形成されているインターフェス部分に載置可能な適合装置を固定する台座が形成されていることによって解決される。
【図面の簡単な説明】
【０００７】
【図１】異なった給紙機を装備した先行技術に基づく収集装置タイプＩの概略的表示を示す。
【図２】図１による収集装置の台座部材を示す。
【図３】印刷用紙の図１による収集装置の標準給紙機を示す。
【図４】図１による収集装置の特殊給紙機を示す。
【図５】図１による収集装置の代用の特殊給紙機を示す。
【図６】図１による収集装置の他の特殊給紙機を示す。
【図７】同じ給紙機ユニットを装備した先行技術に基づく簡単な収集装置タイプＩＩの概略的表示を示す。
【図８】図７による収集装置タイプＩＩの台座部材を示す。
【図９】図７による収集装置タイプＩＩの給紙機ユニットを示す。
【図１０】この発明の収集装置における適合装置を示す。
【図１１】適合装置と連結された特殊給紙機を備える図７による収集装置を示す。
【発明を実施するための形態】
【０００８】
引き続いて、提案された装置は、すべての明細書に述べられていない細部に関して示唆される図面に関連して実施例に基づいて説明される。
【実施例】
【０００９】
図１は、本、仮綴じ本などのような連結された印刷物を製造する為の予備製品８に印刷用紙２２を集合させる先行技術に基づく複雑な収集装置１タイプＩの断面を示す。この収集装置１はモジュールに構成され、実質的に収集装置タイプＩの搬送方向Ｆに並んだ台座部材と、この台座上に配置されて収集装置タイプＩに適合した異なった給紙機１１，１２，１３，１４とから成る。図２によると、台座部材或いは台座は、収集装置１タイプＩに対する使用可能な給紙機１１，１２，１３，１４用の多数の同じ給紙機インターフェス１０並びに搬送装置２の収集装置の全長に一致する部分を有する。
【００１０】
異なった給紙機は、図３では、標準給紙機１１が示され、図４が特殊給紙機１２を示し、図５が特殊給紙機１３を示し、図６には別の特殊給紙機１４が示される。これら給紙機１１，１２，１３，１４は、それぞれが特定種類の印刷用紙２２を個々に導入するように形成されている形式で相違している。すべての給紙機１１，１２，１３，１４の下面は台座部材の給紙機インターフェス１０に適合して形成されている。図２に図示された台座部材は例えば三つの給紙機インターフェス１０を所持する。給紙機インターフェス１０は図１、２と１１に簡略的に図示されている。この給紙機インターフェス１０は、例えばエネルギー供給、制御信号の交換用導線並びに圧縮空気、真空と潤滑剤供給用の導管のように、給紙機１１，１２，１３，１４の運転に必要な全基礎的施設を有する。収集装置１タイプＩの概念は完全な柔軟性で敷設されている。並んだ台座部材によって任意の長さの搬送装置２が任意の数により給紙機インターフェス１０を形成し、給紙機１１，１２，１３，１４の交換性は予備製品８が収集される必要な順序を選択できる。
【００１１】
図７に図示されて連結された印刷物を製造する為の予備製品８に印刷用紙２２を収集させるか、或いは集合させる収集装置２０のタイプＩＩは、搬送装置２に沿って並んで配置されてプッシュコンベア４と一緒に形成された搬送装置２に印刷用紙２２を装入させる複数の交換可能な給紙機ユニット３から成り立つ。台座５上に載置した給紙機ユニット３の各々には、エネルギー供給や制御供給するように形成されたインターフェス部分６が組み入れられている。各台座５は各インターフェス部分６にインターフェス１８とその長さに一致する搬送装置２の部分とを有する。台座５に配置された搬送装置２は実質的に循環する引張手段１６に固定されたプッシュコンベア４を備える水平通路１５によって形成されていて、プッシュコンベア４が収集過程中に印刷用紙２２を搬送方向Ｆに通路１５を通して移動する。搬送装置２の上部に配置された給紙機ユニット３が印刷用紙２２をおよそ搬送方向Ｆと同じ方向に輸送する。給紙機ユニット３は多数の給紙機１９、操作ユニット１７と二つの互いに突き合わせた部材から形成されたインターフェス１８とを包含する。それ故に、各個々の給紙機１９には、完全な基礎的施設が必要とされず、むしろ、給紙機ユニット３に存在する基礎的施設が多数の給紙機１９によって共通に利用され得る。インターフェス１８と操作ユニット１７との際にこれが明白である。周期的作動給紙機１９では、吸引機、グリッパと保持体が給紙機ユニット３内部にそれぞれ一つの駆動手段により共通に駆動される。
【００１２】
図１１には、さらに、図７による収集装置２０タイプＩＩが図示されていて、給紙機ユニット３の代わりに図１による収集装置Ｉの適合装置７と連結された特殊給紙機１２が載置されていることが相違している。この適合装置７は下面にインターフェス１８に対して互換性のあるインターフェスを有し、上面にはインターフェス１８のインターフェス配列と相違する配列に基づく給紙機１１、１２、１３、１４を固定するように形成されている。インターフェス１８は例えば給紙機ユニット３或いは適合装置７を整合固定させる手段、空気或いは潤滑剤のような材料を供給或いは放出する接続部、エネルギーを供給し且つ制御信号を交換する接続部を有する。上面には適合装置７が収集装置１タイプＩの台座部材と同じ給紙機インターフェス１０有し、特におよそインターフェス部分６の長さを有する。
【００１３】
別の好ましい実施態様では、適合装置７が印刷用紙２２を移送する搬送要素として給紙機１１、１２、１３、１４と搬送装置２の間に形成され得て、その駆動に必要な駆動手段を有する。適合装置７の両インターフェス間に接続された制御装置２１は適合装置７の制御や制御信号の交換のために、給紙機１１、１２、１３、１４と台座５のインターフェス１８とを備えている。簡単に言うと、タイプＩの給紙機１１、１２、１３、１４が収集装置１タイプＩ用の台座部材上に存在するときに、適合装置７の制御装置２１がタイプＩの給紙機１１、１２、１３、１４に対して作動し、そして収集装置２０タイプＩＩの給紙機ユニット３が施設されるときに、制御装置がタイプＩＩの台座５に対して作動する。適合装置７の使用により収集装置１タイプＩの任意の給紙機１１、１２、１３、１４を収集装置２０タイプＩＩに一体化されることを可能とする。
【符号の説明】
【００１４】
１．．．．．収集装置
２．．．．．搬送装置
３．．．．．給紙機ユニット
４．．．．．プッシュコンベア
５．．．．．台座
６．．．．．インターフェス部分
７．．．．．適合装置
８．．．．．予備製品
１０．．．．給紙機インターフェス
１１、１２、１３、１４、１９．．．給紙機
１５．．．．水平通路
２０．．．．収集装置
２１．．．．制御装置
【図１】
0005491750.tif 000002
【図２】
0005491750.tif 000003
【図３】
0005491750.tif 000004
【図４】
0005491750.tif 000005
【図５】
0005491750.tif 000006
【図６】
0005491750.tif 000007
【図７】
0005491750.tif 000008
【図８】
0005491750.tif 000009
【図９】
0005491750.tif 000010
【図１０】
0005491750.tif 000011
【図１１】
0005491750.tif 000012